(57)【特許請求の範囲】
【請求項１】
三角形のパンツ本体１の左右側を内側に向かって斜めに切断することにより形成される左右の傾斜開口部２と、
前記左右の傾斜開口部２の両方の下端から上方に連結された、男性の陰茎及び陰嚢を収容するための支持カバー３と、
前記支持カバー３に対して左右対称に内側の折り線５に沿って折られた折り畳みカバー４と、
からなり、着用時に、前記折り線５を中心に前記折り畳みカバー４が開くことで、前記左右の傾斜開口部２の下端と前記折り畳みカバー４の内部空間が広げられるとともに、前記支持カバー３が男性の陰茎と陰嚢を下方から支持することを特徴とする男性用ブリーフ。
【発明の詳細な説明】
【０００１】
技術分野
本発明は男性用ブリーフに係り、特に通気性を増大させ快適なフィット感を得られるようにブリーフの通気構造を改善することにより、使用者の快適性と健康を増進するようにデザインした男性用ブリーフに関する。
【０００２】
背景技術
一般に、肌着は、男女共に人体の主要な部位を覆うためや、身体の主要な部位の保護あるいは保温のために着用するものである。近年、多様な生地と模様を用いてより洗練されたデザインの肌着が製造されてきている。
【０００３】
女性用肌着は主に見映えを良くすることが重要視されているが、男性用肌着は特に吸汗性と通気性を良くすることにより着用者の健康状態を良好に維持できるように構成されている。
【０００４】
図１に示すように、男性用ブリーフ１０１にはその前方内側に男性の陰茎及び陰嚢を収容するための一定の収容部１０２が形成されている。この収容部１０２には必要に応じて陰茎を引き出せるポケットが形成されている場合もあり、あるいは閉じた構造でブリーフに一体化している場合もある。
【０００５】
ブリーフ１０１の左右側にはそれぞれ開口部１０３が形成され、これにより使用者はブリーフを着用する。
【０００６】
健康や性機能の観点から、男性の陰茎や陰嚢は冷たい状態に維持されなければならない。しかしながら、前記男性用ブリーフ１０１は人体に密着するため、男性の健康に悪影響を及ぼす。また、男性用ブリーフ１０１は体を締め付け、ほとんど通気性がないため、陰茎や陰嚢の温度調節を阻害するおそれがある。よって、生殖機能に関連する自律神経系の副交感神経が圧迫されあるいはストレスを受けて生殖能力が低下したり、また適切な空気循環が制限されるため、湿疹や悪臭などによる不快感を引き起こしたりすることがある。
【０００７】
このような短所を解消するため、もうひとつの種類の肌着であるトランクス１０４が男性によって広く使用されている。トランクス１０４は、図２に示すように、だぶだぶの半ズボンの形に形成されており、その前方内側に男性の陰茎及び陰嚢を収容できるように一定の収容部１０２が形成されている。収容部１０２の前面には、必要に応じて陰茎を引き出せるポケット１０２ａが形成される場合もある。収容部１０２の左右側には、それぞれボックス型の股部１０５が形成されており、股部１０５の下部にはそれぞれ開口部１０３が形成され、開口部１０３を通して使用者はトランクス１０４を着用する。
【０００８】
ところが、トランクス１０４は、男性の身体に密着することを防止してブリーフ１０１の欠点を多少解消してはいるものの、その通気性についてはなお改良の余地がある。また、汗をかけばトランクス１０４の股部１０５が身体に密着して使用者に不快感を与えるおそれがある。さらに、股部１０５が上部に巻き上がって、フィット感を損なうこともある。
【０００９】
発明の開示
本発明の目的は、通気性を増大させ快適なフィット感を得られるようにブリーフの通気構造を改善することにより、使用者の快適性と健康を増進するようにデザインした男性用ブリーフを提供することにある。
【００１０】
上記本発明の目的を達成するため、三角形のパンツ本体の左右側を内側に向かって斜めに切断することにより形成した傾斜開口部と、この傾斜開口部の下端に連結された男性の陰茎及び陰嚢を収容するための支持カバーと、この支持カバーに対して左右対称に内側の折り線に沿って折られた折り畳みカバーとからなる男性用ブリーフが提供される。
【００１１】
すなわち、前述したような構造を有する男性用ブリーフは、従来のブリーフとトランクスの長所を取り入れることによって発明されたものであり、傾斜開口部により三角の形状を維持しつつ通気に十分な空間を確保し、支持カバー及び折り畳みカバーでフィット感をさらに快適なものとし、ブリーフが体の別の部分に接触することによる不快感を最小化したものである。
【００１２】
従って、前述したようにブリーフとトランクスの長所を取り入れてブリーフの通気性を向上させることにより、使用者の健康及び性機能の向上を図ることができる。また、発汗による不快感をなくすことにより、ブリーフの衛生状態を維持し、フィット感を快適なものとすることができる。
【００１３】
発明を実施するための最良の形態
上述した本発明の目的及び効果は、添付の図面を参照しながら好ましい実施形態を詳細に述べることにより、さらに明確になるであろう。
【００１４】
以下、添付した図面を参照して本発明の実施例を詳述する。
【００１５】
図３は本発明に係る男性用ブリーフの斜視図であり、図４は本発明に係る男性用ブリーフの折り構造を示した図であり、図５は本発明に係る男性用ブリーフの下部構造を示した斜視図である。
【００１６】
この図面を参照して本発明の構造を説明する。三角形のパンツ本体１の左右側を内側に向かって斜めに切断することにより、傾斜開口部２が形成される。傾斜開口部２の下端には、男性の陰茎及び陰嚢を収容する支持カバー３が連結されている。支持カバー３に対して左右対称に、折り畳みカバー４が内側の折り線５に沿って折られている。
【００１７】
ここで、前述した構造よりなる男性用ブリーフの特徴は、傾斜開口部２によって三角の形状を保ちながらブリーフ６の左右側の通気性が改善された点、支持カバー３と折り畳みカバー４により男性の陰茎と陰嚢を支持できる点、及び支持カバー３と折り畳みカバー４によって形成された空間を通して新鮮な空気が自由に循環できる点にある。
【００１８】
言い換えれば、前記男性用ブリーフは、従来のブリーフとトランクスの長所を取り入れることによって発明されたものであり、傾斜開口部２により三角の形状を維持しつつ通気に十分な空間を確保し、支持カバー３及び折り畳みカバー４でフィット感をさらに快適なものとし、ブリーフ６が体の別の部分に接触することによる不快感を最小化するように設計されたものである。
【００１９】
すなわち、使用者がブリーフ６を着用した場合、前記傾斜開口部２により使用者の脚の外側が最大に露出されることにより、通気性がよくなる。また、折り畳みカバー４を折り線５を中心に広げることで、内部空間に空気が円滑に取り入れられる。さらに、支持カバー３が男性の陰茎と陰嚢を下方から快適に支持することにより、フィット感をさらに快適なものとする。
【００２０】
パンツ本体１は人体に無害な織物で製造されることが好ましい。また、パンツ本体１の上部に沿って設けられたゴムバンド７は使用者のウェストにしっかりと密着するため、天然ゴムを原料とする綿織物で製造する方が好ましい。
【００２１】
また、ブリーフ６は、従来のトランクスの左右側を切断して傾斜開口部２を形成するようにしているため、製造にあたっては従来のトランクスに比べて多量の生地を節約できる。
【００２２】
さらに、ブリーフ６は、従来のブリーフの有する短所であるブリーフ６が身体を締め付けることに起因する通気妨害及び湿疹などの問題を解決し、従来のトランクスの有する短所である使用者が活動時にかく汗により股部分が巻き上げられることによる不快感をなくすことができる。
【００２３】
従って、ブリーフ６をゴルフなどをするときに着用すれば、使用者は通気性の良さによる快適感と、心地よいフィット感を得ることができる。さらに、本発明は機能の向上したブリーフを提供することにより、消費者の多様な嗜好を満たすことができる。
【００２４】
産業上の利用可能性
以上述べた通り、本発明によれば、ブリーフとトランクスの長所を取り入れることによりブリーフの通気性を向上させ、それにより使用者の健康や性機能の向上を図ることができる。また、発汗による不快感をなくすことにより、ブリーフの優れた衛生状態を維持し、フィット感を快適なものとすることができる。
【図面の簡単な説明】
【図１】一般の男性用ブリーフの斜視図である。
【図２】従来の男性用トランクスの斜視図である。
【図３】本発明に係る男性用ブリーフの斜視図である。
【図４】本発明に係る男性用ブリーフの折り構造を示す図である。
【図５】本発明に係る男性用ブリーフの下部構造を示す斜視図である。
【図１】
0003580795.tif 000002
【図２】
0003580795.tif 000003
【図３】
0003580795.tif 000004
【図４】
0003580795.tif 000005
【図５】
0003580795.tif 000006